(57)【要約】      （修正有）【課題】外部からの電力供給を断たれても機能する自動販売機を提供する。【解決手段】自動販売機本体１０と、自動販売機本体の正面部１１に装備された太陽電池２０Ａと、自動販売機本体左右の側面部１２に装備された太陽電池２０Ｂと、自動販売機本体上面部１３に装備された太陽電池２０Ｃと、太陽電池２０Ａ、２０Ｂ、２０Ｃから生じる電力を充電可能に構成された蓄電池３０と、によって、自動販売機１を構成する。太陽電池２０Ａの受光面２１Ａを正面部１１に露出させ、太陽電池２０Ｂの受光面２１Ｂを側面部１２に露出させ、太陽電池２０Ｃの受光面２１Ｃを上面部１３に露出させ、正面部を南に向けて周囲に何もない屋外に設置する。【選択図】図１
0003190029.tif 000002
【実用新案登録請求の範囲】
【請求項１】
内部に充填された商品を販売することを可能に構成された駆動部を備える自動販売機本体と、
前記自動販売機本体に装備された太陽電池と、
前記太陽電池に接続されて前記太陽電池で生じる電力を充電可能に構成された蓄電池と、を有し、
前記太陽電池の受光面が、前記自動販売機本体の表面の少なくとも一部に露出することを特徴とする自動販売機。
【請求項２】
前記太陽電池と前記蓄電池とは、制御スイッチを介して接続されており、
前記制御スイッチは、前記太陽電池で生じた電力を前記蓄電池へ供給する第１の回路と、前記太陽電池で生じた電力を前記駆動部へ供給する第２の回路と、前記蓄電池の電力を前記駆動部へ供給する第３の回路と、前記太陽電池で生じた電力を外部へ供給する第４の回路と、切り替えることを特徴とする請求項１に記載の自動販売機。
【考案の詳細な説明】
【技術分野】
【０００１】
本考案は、自動販売機に関する。
【背景技術】
【０００２】
近年、人々の活動スタイルが極めて多様化しており、人々が活動する時間帯や場所も広がっている。このため、時間帯や場所によっては、人々が必要な商品を購入できる有人の店舗が身近に存在しないことも多い。
さらに、大型小売店舗や複合商業施設の進出により、中小小売店舗が閉店したり休業状態となっていることも多くなっている。このため、必要な商品を購入するためには遠方の大型小売店舗や複合商業施設まで出かけなければならないような地域も増えてきている。
【０００３】
時間帯や場所を問わず様々な商品を販売する機器として、従来から自動販売機が利用されているが、上述した理由により自動販売機の重要性がますます高まっており、様々な自動販売機がこれまでに提唱されている（例えば、特許文献１を参照）。
かかる自動販売機は、内部に充填された商品を販売することを可能に構成された駆動部を有しており、この駆動部は外部の商業用電源から供給される電力によって作動する。自動販売機は、いつでも利用可能な状態を維持するために、一日中通電状態にあることが多い。
【先行技術文献】
【特許文献】
【０００４】
【特許文献１】実用新案登録第３０７２７７５号公報
【考案の概要】
【考案が解決しようとする課題】
【０００５】
自動販売機は、停電等によって外部からの電力供給が停止してしまうと、機能しなくなってしまう。
本考案は、上記問題を解決するものであり、その目的とするところは、外部からの電力供給が停止しても機能する自動販売機を提供することである。
【課題を解決するための手段】
【０００６】
本考案は、その課題を解決するために以下のような構成をとる。請求項１の考案に係る自動販売機は、内部に充填された商品を販売することを可能に構成された駆動部を備える自動販売機本体と、前記自動販売機本体に装備された太陽電池と、前記太陽電池に接続されて前記太陽電池で生じる電力を充電可能に構成された蓄電池と、を有し、前記太陽電池の受光面が、前記自動販売機本体の表面の少なくとも一部に露出することを特徴とする。
【０００７】
自動販売機の設置場所は多岐にわたる。設置場所が屋外であるにしろ屋内であるにしろ、利用者のために、自動販売機には何らかの光が外部から当たっている。かかる光として、例えば、太陽光、街灯の光、室内灯等を挙げることができる。したがって、自動販売機に当たる外部からの光が、自動販売機本体の表面に露出した太陽電池の受光面に当たりさえすれば、太陽電池は光電変換により電力を生じ、この生じた電力を蓄電池に充電し、蓄電池の電力を自動販売機の駆動部において利用することができる。
【０００８】
蓄電池の充電率が一定の割合以上になっている場合、太陽電池から生じる電力を、外部の送電網等にそのまま送り売電することも可能である。
自動販売機本体の表面において、太陽電池の受光面が露出している場所は、例えば、自動販売機本体の前面部であっても良いし、側面部であっても良いし、背面部であっても良いし、上面部であっても良い。自動販売機を設置する場所において、自動販売機本体の表面のうち、外部からの光が当たる場所に太陽電池の受光面が露出していれば良い。
【０００９】
例えば、上方から太陽光が当たる場所に自動販売機が設置されている場合、少なくとも、自動販売機本体の表面の上面部に太陽電池の受光面が露出していることが好ましい。このように太陽電池の受光面が露出していれば、太陽が出ている間は、太陽光が常に太陽電池の受光面に当たり、太陽電池から電力が生じる。
【００１０】
日出直後の太陽光が当たる場所に自動販売機が設置されている場合、少なくとも、自動販売機本体の表面のうち、東側を向く部分に太陽電池の受光面が露出していることが好ましい。
正午を挟んだ前後の時間帯に太陽光が当たる場所に自動販売機が設置されている場合、少なくとも、自動販売機本体の表面のうち、南側を向く部分に太陽電池の受光面が露出していることが好ましい。
【００１１】
日没前の太陽光が当たる場所に自動販売機が設置されている場合、少なくとも、自動販売機本体の表面のうち、西側を向く部分に太陽電池の受光面が露出していることが好ましい。
自動販売機に当たる光が太陽光以外の外光である場合は、自動販売機本体の表面のうち、その外光の光源を向く部分に太陽電池の受光面が露出していることが好ましい。
【００１２】
さらに、太陽電池から生じる電力は、太陽電池の受光面に垂直に光が当たるときに最も大きくなる。したがって、太陽電池の受光面に垂直に光が当たる時間が最長となるように、自動販売機本体の表面に太陽電池の受光面を配置することが好ましい。
【００１３】
請求項２の考案に係る自動販売機は、請求項１に記載の自動販売機であって、前記太陽電池と前記蓄電池とは、制御スイッチを介して接続されており、前記制御スイッチは、前記太陽電池で生じた電力を前記蓄電池へ供給する第１の回路と、前記太陽電池で生じた電力を前記駆動部へ供給する第２の回路と、前記蓄電池の電力を前記駆動部へ供給する第３の回路と、前記太陽電池で生じた電力を外部へ供給する第４の回路と、切り替えることを特徴とする。
【００１４】
制御スイッチが、第１〜第４の回路の間の切り替えを行う。
第１の回路を利用することによって、太陽電池で生じた電力を蓄電池へ供給し、蓄電池を充電することが可能である。第２の回路を利用することによって、太陽電池で生じた電力を自動販売機本体の駆動部へ供給することが可能である。第３の回路を利用することによって、蓄電池の電力を自動販売機本体の駆動部へ供給することが可能である。第４の回路を利用することによって、太陽電池で生じた電力を外部へ供給することが可能である。例えば、太陽電池で生じた電力を電力会社の送電網に送って売電することも可能である。
【００１５】
制御スイッチは、例えば、太陽電池の発電量と、蓄電池の充電率と、外部の商業用電源から駆動部への電力供給の有無と、を測定可能な構成を有し、これらの測定結果に応じて第１〜第４の回路の間の切り替えを行う構成を有していればよい。
なお、以下の説明において、「商業用電源から駆動部への電力供給が有る場合」のことを「通常時」といい、「商業用電源から駆動部への電力供給が無い場合」のことを「停電時」ということとする。
通常時、制御スイッチは、第２の回路及び第３の回路を切断し、蓄電池の充電率に応じて第１の回路または第４の回路を接続すればよい。
【００１６】
すなわち、通常時には、制御スイッチは、蓄電池の充電率が所定の値β％以下であれば、第１の回路を用いて蓄電池を充電し、蓄電池の充電率が所定の値α％以上であれば、第４の回路を用いて太陽電池で生じた電力を外部へ供給すればよい。
停電時、制御スイッチは、第１の回路及び第４の回路を切断し、太陽電池の発電量に応じて第２の回路または第３の回路を接続すればよい。
【００１７】
すなわち、停電時において、制御スイッチは、太陽電池の発電量が駆動部の必要電力以上であれば、第２の回路を用いて太陽電池から駆動部へ電力を供給し、太陽電池の発電量が駆動部の必要電力未満であれば、第３の回路を用いて蓄電池から駆動部へ電力を供給すればよい。
【考案の効果】
【００１８】
上記のような自動販売機であるので、自動販売機は、外部からの電力供給が停止しても機能することができる。
【図面の簡単な説明】
【００１９】
【図１】自動販売機の外観図である。
【図２】自動販売機の構成図である。
【考案を実施するための形態】
【００２０】
本考案の実施の形態を図１及び図２を参照しつつ説明する。
自動販売機１が、屋外の平坦で日当たりの良い土地に設置されている。また、自動販売機１の近辺には、電力会社の送電網６０が存在している。
自動販売機１は、内部に充填された商品を販売する自動販売機本体１０を有する。自動販売機本体１０は、商品販売を可能に構成された駆動部５を有しており、この駆動部５は外部の商業用電源７０に接続されている。
【００２１】
自動販売機本体１０は略直方体をなしている。自動販売機本体１０の表面のうち、正面部１１は南方を向いている。自動販売機本体１０の表面のうち、背面部は北方を向いている。自動販売機本体１０の表面のうち、左右の側面部１２は西方と東方を向いている。自動販売機本体１０の表面のうち、上面部１３は上方を向いている。
【００２２】
自動販売機本体１０の正面部１１には、商品の陳列窓５１、金銭の投入口５２及び操作ボタン５３が形成されている。そして、正面部１１の表面のうち、商品の陳列窓５１、金銭の投入口５２及び操作ボタン５３を除く部分の大半は、太陽電池２０Ａによって覆われており、太陽電池２０Ａの受光面２１Ａが露出している。
【００２３】
自動販売機本体１０の背面部は、平坦な背板によって覆われている。自動販売機本体１０の左右の側面部１２の大半は、太陽電池２０Ｂによって覆われており、太陽電池２０Ｂの受光面２１Ｂが露出している。自動販売機本体１０の上面部１３の大半は、太陽電池２０Ｃによって覆われており、太陽電池２０Ｃの受光面２１Ｃが露出している。
【００２４】
また、自動販売機本体１０は、蓄電池３０と制御スイッチ４０とを有している。
制御スイッチ４０と太陽電池２０Ａ、２０Ｂ、２０Ｃとは、配線４１Ａによって接続されており、制御スイッチ４０と蓄電池３０とは、配線４１Ｂによって接続されており、制御スイッチ４０と駆動部５とは、配線４１Ｃによって接続されており、制御スイッチ４０と送電網６０とは、配線４１Ｄによって接続されている。
【００２５】
そして、配線４１Ａと配線４１Ｂとが、第１の回路を形成し、配線４１Ａと配線４１Ｃとが、第２の回路を形成し、配線４１Ｂと配線４１Ｃとが、第３の回路を形成し、配線４１Ａと配線４１Ｄとが、第４の回路を形成している。
また、制御スイッチ４０は制御部４２を有している。制御部４２は、太陽電池２０Ａ、２０Ｂ、２０Ｃの合計した発電量と、蓄電池３０の充電率と、商業用電源７０から駆動部５への電力供給の有無と、を測定可能な構成を有している。
【００２６】
さらに、制御部４２は、太陽電池２０Ａ、２０Ｂ、２０Ｃの合計した発電量の測定値と、蓄電池３０の充電率の測定値と、商業用電源７０から駆動部５への電力供給の有無の測定結果と、に応じて、第１〜第４の回路の間の切り替えを行う構成を有している。
より具体的には、制御部４２は、まず、商業用電源７０から駆動部５への電力供給の有無の測定結果から、通常時であるか停電時であるかを判別可能に構成されている。そして、制御部４２は、通常時において、第２の回路をなす配線４１Ａと配線４１Ｃとを切断し、第３の回路をなす配線４１Ｂと配線４１Ｃとを切断するとともに、第１の回路をなす配線４１Ａと配線４１Ｂとを接続するか、または、第４の回路をなす配線４１Ａと配線４１Ｄとを接続する構成を有している。
【００２７】
より詳細に述べると、制御部４２は、通常時において、蓄電池３０の充電率があらかじめ定められた値α％以上であることを測定すると、第１の回路を切断し、第４の回路を接続する構成を有している。また、制御部２４は、通常時において、蓄電池２１の充電率があらかじめ定められた値β％以下であることを測定すると、第１の回路を接続し、第４の回路を切断する構成を有している。なお、１００＞α＞β＞０の関係が成立している。
【００２８】
また、制御部４２は、停電時において、第１の回路をなす配線４１Ａと配線４１Ｂとを切断し、第４の回路をなす配線４１Ａと配線４１Ｄとを切断するとともに、第２の回路をなす配線４１Ａと配線４１Ｃとを接続するか、または、第３の回路をなす配線４１Ｂと配線４１Ｃとを接続する構成を有している。
【００２９】
より詳細に述べると、制御部４２は、停電時において、太陽電池２０Ａ、２０Ｂ、２０Ｃの合計した発電量の測定値が、駆動部５の必要電力以上である場合、第２の回路を接続し、第３の回路を切断する構成を有している。また、制御部２４は、停電時において、太陽電池２０Ａ、２０Ｂ、２０Ｃの合計した発電量の測定値が、駆動部５の必要電力未満である場合、第２の回路を切断し、第３の回路を接続する構成を有している。
【００３０】
以上が、自動販売機１の構成である。次に、自動販売機１の作用効果について説明する。
日出から日没までの間、自動販売機本体１０は太陽光によって照らされる。
日出後の暫くの間、太陽光は、主に、自動販売機本体１０の東を向く側面部１２に当たる。したがって、この間、太陽光は、主に、東を向く側面部１２の太陽電池２０Ｂの受光面２１Ｂに垂直に近い角度で当たり、東を向く側面部１２の太陽電池２０Ｂで生じる電力が大きくなる。
【００３１】
その後、正午を挟む前後の時間帯の間、太陽光は、主に、自動販売機本体１０の正面部１１と上面部１３に当たる。したがって、この間、太陽光は、主に、正面部１１の太陽電池２０Ａの受光面２１Ａに垂直に近い角度で当たるとともに、上面部１３の太陽電池２０Ｃの受光面２１Ｃに垂直に近い角度で当たり、太陽電池２０Ａ、２０Ｃで生じる電力が大きくなる。
【００３２】
日没前の暫くの間、太陽光は、主に、自動販売機本体１０の西を向く側面部１２に当たる。したがって、この間、太陽光は、主に、西を向く側面部１２の太陽電池２０Ｂの受光面２１Ｂに垂直に近い角度で当たり、西を向く側面部１２の太陽電池２０Ｂで生じる電力が大きくなる。
【００３３】
制御スイッチ４０の制御部４２は、太陽電池２０Ａ、２０Ｂ、２０Ｃの合計した発電量と、蓄電池３０の充電率と、商業用電源７０から駆動部５への電力供給の有無を測定し、この結果に応じて、第１〜第４の回路の間の切り替えを行う。
より具体的には、制御部４２は、まず、商業用電源７０から駆動部５への電力供給の有無の測定結果から、通常時であるか停電時であるかを判別する。
【００３４】
そして、制御部４２が通常時であることを判断すると、制御部４２は、第２の回路と第３の回路を切断する。同時に、制御部４２は、蓄電池３０の充電率がα％以上であることを測定すると、第１の回路を切断し、第４の回路を接続する。この結果、太陽電池２０Ａ、２０Ｂ、２０Ｃで生じた電力は、第４の回路を介して送電網６０に送られる。
【００３５】
通常時において、制御部４２は、蓄電池３０の充電率がβ％以下であることを測定すると、第１の回路を接続し、第４の回路を切断する。この結果、太陽電池２０Ａ、２０Ｂ、２０Ｃで生じた電力によって、蓄電池３０の充電が行われる。
制御部４２が停電時であることを判断すると、制御部４２は、第１の回路と第４の回路を切断する。同時に、制御部４２は、太陽電池２０Ａ、２０Ｂ、２０Ｃの合計した発電量の測定値が、駆動部５の必要電力以上であることを測定すると、第２の回路を接続し、第３の回路を切断する。この結果、太陽電池２０Ａ、２０Ｂ、２０Ｃで生じた電力が、駆動部５にそのまま送られ、自動販売機１は商品の販売を行うことができる。
【００３６】
停電時において、制御部４２は、太陽電池２０Ａ、２０Ｂ、２０Ｃの合計した発電量の測定値が、駆動部５の必要電力未満であることを測定すると、第２の回路を切断し、第３の回路を接続する。この結果、蓄電池３０の電力が、駆動部５に送られ、自動販売機１は商品の販売を行うことができる。
【産業上の利用可能性】
【００３７】
上記のような自動販売機であるので、停電等の災害にも対処可能な自動販売機として有用である。
【符号の説明】
【００３８】
１    自動販売機
５    駆動部
１０    自動販売機本体
１１    正面部
１２    側面部
１３    上面部
２０Ａ、２０Ｂ、２０Ｃ    太陽電池
２１Ａ、２１Ｂ、２１Ｃ    受光面
３０    蓄電池
４０    制御スイッチ
４１Ａ、４１Ｂ、４１Ｃ、４１Ｄ  配線
４２  制御部
５１    商品の陳列窓
５２    金銭の投入口
５３    操作ボタン
６０    送電網
７０    商業用電源
【図１】
0003190029.tif 000003
【図２】
0003190029.tif 000004